(57)【要約】【課題】植物の根の良好な伸長や水分の良好な広がりを確保して植物の良好な生育を実現しつつ、軽量化を図ることができる。【解決手段】側壁２１と底板２２を有する容器２０内に育成材３０を充填し、所定湿潤時における育成材３０の単位体積当りの重量よりも軽量な板部４０を育成材３０上に載置し、上下に連通する連通部４１を板部４０に形成し、連通部４１に植物を植栽可能とする緑化体。【選択図】図１
2010187601.tif 000002
【特許請求の範囲】
【請求項１】
容器に育成材を設け、
所定湿潤時における前記育成材の単位体積当りの重量よりも軽量な板部を前記育成材上に載置し、
上下に連通する連通部を前記板部に形成し、
前記連通部に植物を植栽可能とすることを特徴とする緑化体。
【請求項２】
前記板部の少なくとも表面に耐候性処理を施すことを特徴とする請求項１記載の緑化体。
【請求項３】
上下に連通して水分を通水可能な通水部を前記板部の前記連通部以外の箇所に形成することを特徴とする請求項１又は２記載の緑化体。
【請求項４】
長手方向に延びる挿通孔を有する筒部を前記容器の底板から立設し、
前記板部に、前記載置状態における前記筒部と対応する位置に上下に貫通する貫通孔を形成し、
前記対応する位置の前記挿通孔及び前記貫通孔に固定部材を挿通して、前記容器と前記板部を一体化することを特徴とする請求項１〜３の何れかに記載の緑化体。
【請求項５】
隣接配置される複数の前記容器を有し、前記複数の容器に対して前記板部を跨ぐように載置することを特徴とする請求項１〜４の何れかに記載の緑化体。
【請求項６】
前記板部を複数の板材を組み合わせて構成することを特徴とする請求項１〜５の何れかに記載の緑化体。
【請求項７】
前記容器に前記板部を支持する支持部を設け、
前記支持部及び前記育成材で前記板部を支持することを特徴とする請求項１〜６の何れかに記載の緑化体。
【請求項８】
前記容器の下方に貯水層を設け、
前記貯水層から導水部を介して前記容器内に水分を導くことを特徴とする請求項１〜７の何れかに記載の緑化体。
【請求項９】
請求項１〜８の何れかに記載の緑化体を敷設面に複数敷設することを特徴とする緑化設備。
【請求項１０】
敷設面の上側に育成材を敷設し、
所定湿潤時における前記育成材の単位体積当りの重量よりも軽量な板部を前記育成材上に載置し、
上下に連通する連通部を前記板部に形成し、
前記連通部に植物を植栽することを特徴とする緑化設備。
【発明の詳細な説明】
【技術分野】
【０００１】
本発明は、建造物の屋上、屋根、ベランダ等における緑化対策の一環として使用する緑化体及びこの緑化体を複数敷設する緑化設備に関する。
【背景技術】
【０００２】
近年、都市の緑化対策の重要性が認識されつつあり、建造物の屋上、傾斜屋根、ベランダ等においても緑化設備で緑化が図られて来ている。この緑化設備は、建造物の屋上等に設置されるものであるため、建造物の強度に合わせて軽量化することが極めて重要である。そのため、緑化設備の土壌には軽量土壌が用いられることも多く、又、特許文献１のような軽量化が可能な緑化設備も提案されている。
【０００３】
特許文献１の緑化設備は、パネル本体に、平面視略格子状である土壌を収納する収納部と、収納部を所定の深さに形成して土壌を所定の厚みにするために嵩上げする嵩上げ部とを具備するものである。この嵩上げ部は、格子状の収納部の間に略正方形のブロック状で複数設けられ、パネル本体を構成する底板の上面に一体的に突出して形成されている。そして、この嵩上げ部を設けることにより、植物を植栽する収納部の土壌の厚みを厚くしても緑化設備全体を軽量化することが可能となる。
【先行技術文献】
【特許文献】
【０００４】
【特許文献１】特開２００６−２０４２９１号公報
【発明の概要】
【発明が解決しようとする課題】
【０００５】
しかしながら、特許文献１の緑化設備は、嵩上げ部をパネルの底板から立設するものであるため、収納部に植栽された植物の根の伸長が嵩上げ部で制限され、根の伸長方向が限られてしまい、植物の生育に悪影響を及ぼす虞がある。また、この嵩上げ部の存在により、水分の毛細管現象による広がり方向が限られて水分管理が容易でなくなるため、かかる点からも植物の生育に悪影響を及ぼす虞がある。そのため、植物の良好な育成を確保しつつ、軽量化を図れる構成が求められている。
【０００６】
本発明は上記課題に鑑み提案するものであって、植物の根の良好な伸長や水分の良好な広がりを確保して植物の良好な生育を実現しつつ、軽量化を図ることができる緑化体及び緑化設備を提供することを目的とする。
【課題を解決するための手段】
【０００７】
本発明の緑化体は、容器に育成材を設け、所定湿潤時における前記育成材の単位体積当りの重量よりも軽量な板部を前記育成材上に載置し、上下に連通する連通部を前記板部に形成し、前記連通部に植物を植栽可能とすることを特徴とする。前記所定湿潤時とは、十分に育成材に水分が保持された状態を意味し、例えば底面に水抜き穴が穿設された容器内に対象物（育成材）を充填し、水抜き穴から余剰水が排出されるまで上から散水を行い、その後、余剰水の排水が無くなった状態を意味している。また、好適には連通部内に育成材を設けるとよい。本発明によれば、軽量な板部を育成材上に載置し、板部の連通部に植栽することにより、軽量化を図ることができる。また、板部の下に育成材が存在することから、植物の根の伸長や水の広がりが妨げられることが無くなり、植物の良好な生育を確保することができる。また、板部を育成材に載置することで、育成材の飛散を防止できると共に、育成材中の水分の蒸発を抑制し、必要な給水間隔の長期化に資することができる。また、容器を用いることで施工作業を容易化できる。
【０００８】
また、本発明の緑化体は、前記板部の少なくとも表面に耐候性処理を施すことを特徴とする。本発明によれば、板部の材質を問わずに板部を長期に亘って使用でき、長期に亘り安定して緑化体の性能を維持することができる。
【０００９】
また、本発明の緑化体は、上下に連通して水分を通水可能な通水部を前記板部の前記連通部以外の箇所に形成することを特徴とする。本発明によれば、板部上の降雨等をより確実に且つ多量に板部の下に存在する育成材に導くことができ、植物の生育用の水分として雨水等をより有効に活用することができる。
【００１０】
また、本発明の緑化体は、長手方向に延びる挿通孔を有する筒部を前記容器の前記底板から立設し、前記板部に、前記載置状態における前記筒部と対応する位置に上下に貫通する貫通孔を形成し、前記対応する位置の前記挿通孔及び前記貫通孔に固定部材を挿通して、前記容器と前記板部を一体化することを特徴とする。本発明によれば、緑化体と板部を一体化することが可能となり、一体化した板部で育成材の飛散を確実に防止することができると共に、緑化体と板部の一体的な取扱いで施工、撤去時など取扱いが容易となる。
【００１１】
また、本発明の緑化体は、隣接配置される複数の前記容器を有し、前記複数の容器に対して前記板部を跨ぐように載置することを特徴とする。本発明によれば、板部を大型化することが可能となり、コスト削減、施工性の向上を実現することができる。前記構成では、板部の裏面に十字形等の溝を設け、この溝を容器の隣接する側壁に外嵌めすると、複数の容器の連結や位置決めができて好ましい。
【００１２】
また、本発明の緑化体は、前記板部を複数の板材を組み合わせて構成することを特徴とする。本発明によれば、板部の厚さ、板部により形成される連通部の位置、形状、大きさなど多様な変更が可能となり、植物の種類、顧客の要望に応じて多様なデザイン変更等が可能となる。
【００１３】
また、本発明の緑化体は、前記容器に前記板部を支持する支持部を設け、前記支持部及び前記育成材で前記板部を支持することを特徴とする。本発明によれば、板部を所定高さで確実に支持することが可能となり、仮にメンテナンス等において板部上を歩行したとしても、下側の育成材が圧縮されて固化されることを防止することができる。
【００１４】
また、本発明の緑化体は、前記容器の下方に貯水層を設け、前記貯水層から導水部を介して前記容器内に水分を導くことを特徴とする。本発明によれば、降雨等は育成材だけに限らず、貯水層でも貯水することが可能となり、より雨水の有効活用をすることができると共に、植物に対する給水間隔を長くすることが可能となり、水道費を節約できる。
【００１５】
また、本発明の緑化設備は、本発明の緑化体を敷設面に複数敷設することを特徴とする。本発明の緑化体の効果を有する緑化設備を構成できると共に、広範囲を緑化することが可能となり、全体として景観に優れた緑化エリアを形成することができる。
【００１６】
また、本発明の緑化設備は、敷設面の上側に育成材を敷設し、所定湿潤時における前記育成材の単位体積当りの重量よりも軽量な板部を前記育成材上に載置し、上下に連通する連通部を前記板部に形成し、前記連通部に植物を植栽することを特徴とする。本発明によれば、軽量な板部を育成材上に載置し、板部の連通部に植栽することにより、軽量化を図ることができる。また、板部の下に育成材が存在することから、植物の根の伸長や水の広がりが妨げられることが無くなり、植物の良好な生育を確保することができる。また、板部を育成材に載置することで、育成材の飛散を防止できると共に、育成材中の水分の蒸発を抑制し、必要な給水間隔の長期化に資することができる。また、容器を使用しないため、コストを低減することができる。
【００１７】
また、本発明の緑化体は、容器に育成材を設け、又は敷設面に育成材を敷設し、板部を前記育成材上に載置し、上下に連通する連通部を前記板部に形成し、前記連通部に植物を植栽可能とすることを特徴とする。本発明によれば、所定湿潤時における育成材の単位体積当りの重量よりも軽量であることに限定されない板部を設置することにより、緑化体或いは緑化設備の美観を高めることができる。また、板部の下に育成材が存在することから、植物の根の伸長や水の広がりが妨げられることが無くなり、植物の良好な生育を確保することができる。また、板部を育成材に載置することで、育成材の飛散を防止できると共に、育成材中の水分の蒸発を抑制し、必要な給水間隔の長期化に資することができる。また、容器を用いることで施工作業を容易化、或いは容器を使用しないことでコスト低減を図ることができる。
【００１８】
また、本発明の緑化設備は、側壁と底板を有する容器の前記側壁に側壁連通部を形成し、一の前記容器と別の前記容器とを隣接配置し、前記一の容器の側壁連通部と前記別の容器の側壁連通部とを対応配置して連通し、前記一の容器と前記別の容器とに、植物を植栽可能に育成材を充填することを特徴とする。本発明によれば、容器相互間での根の伸長や水分の広がりを確保して、容器に植栽する植物のより良好な生育を実現することができる。また、容器を用いることで施工作業を容易化を図ることができる。
【発明の効果】
【００１９】
本発明により、植物の根の良好な伸長や水分の良好な広がりを確保して植物の良好な生育を実現しつつ、軽量化を図ることができる。また、美観に優れた緑化体或いは緑化設備を得ることができる。また、容器相互間での根の伸長や水分の広がりを確保して、容器に植栽する植物のより良好な生育を実現することができる。
【図面の簡単な説明】
【００２０】
【図１】（ａ）は第１実施形態の緑化体の組立を説明する斜視説明図、（ｂ）は第１実施形態の緑化体による緑化設備を示す斜視図。
【図２】（ａ）は第２実施形態の緑化体の組立を説明する斜視説明図、（ｂ）は第２実施形態の緑化体による緑化設備を示す斜視図。
【図３】第３実施形態の緑化体による緑化設備の組立を説明する斜視説明図。
【図４】（ａ）は第４実施形態の緑化体における容器の平面図、（ｂ）は同図（ａ）の容器の正面図、（ｃ）は第４実施形態の緑化体における貯水層（貯水トレー）の平面図、（ｄ）は同図（ｃ）の貯水層（貯水トレー）の正面図。
【図５】（ａ）は第４実施形態の緑化体における育成材を充填した容器への板部の載置を説明する平面説明図、（ｂ）は同図（ａ）の載置を説明する正面説明図。
【図６】（ａ）は第４実施形態の緑化体における育成材を充填して板部を設置した容器への植物苗の植栽を説明する平面説明図、（ｂ）は同図（ａ）の植栽を説明する正面説明図。
【図７】（ａ）は第４実施形態の緑化体の平面図、（ｂ）は同図（ａ）の緑化体の正面図。
【図８】（ａ）は第４実施形態の緑化体による緑化設備の一部横断平面図、（ｂ）は同図（ａ）の緑化設備の一部縦断正面図。
【図９】（ａ）は第５実施形態の緑化体の一部横断平面説明図、（ｂ）は同図（ａ）の緑化体の一部縦断正面説明図。
【図１０】（ａ）は第６実施形態の緑化設備の部分平面図、（ｂ）は同図（ａ）の緑化設備の部分縦断正面図。
【発明を実施するための形態】
【００２１】
以下、本発明の緑化体及び緑化設備について図に示す具体的な実施形態により説明する。
【００２２】
〔第１実施形態の緑化体及び緑化設備〕
第１実施形態の緑化体１０は、図１（ａ）に示すように、側壁２１と底板２２とを有する上面開放の箱形の容器２０を有し、容器２０内に側壁２１の上端よりも低い位置まで育成材３０が充填され、充填された育成材３０上には板部４０が載置されている。
【００２３】
容器２０は、例えば合成樹脂製、発泡体製、木製、陶器製、石製、鋼板製等、或いはこれらの組み合わせなど適宜の素材で形成することが可能であるが、軽量化と断熱性強化のためには発泡体製、成形性の容易さの観点からは合成樹脂製とすることが好ましい。また、底板２２には、必要に応じて排水口を穿設すると、根腐れ防止効果を発揮することができて好適である。
【００２４】
育成材３０には、植栽可能な適宜の育成材を用いることが可能であり、例えばパーライト、バーミキュウライト、ピートモス、バーク堆肥、チャフコン、木質腐朽有機物、ゼオライト、下水或いは浄水場から発生する汚泥、或いは汚泥の焼却灰等を用いることができる。また、これらの内の数種類を選定し、更には根腐れ防止用の硅酸塩白土等を植物の種類、環境等に応じて適宜選定し、これらを保水性、排水性を良好にするためにバランス良く配合する、或いは配合して固化してブロック状にする軽量育成材や、スポンジやヤシガラ等の繊維材等の軽量育成材などを育成材３０として用いると良好である。かかる通気性良好な軽量育成材を育成材３０として採用することにより、植物の根が傷むことを防止でき、又、これらの軽量育成材による荷重は、従来の客土の約１／３程度であることから、緑化体１０の支持部分に負荷される荷重を軽減することができる。
【００２５】
板部４０は、対角する角部に対応して連通部４１が２つ設けられており、連通部４１はそれぞれ板部４０の法線方向（上下方向）に貫通している。連通部４１は、植物苗５０の育成材部５１の大きさよりも僅かに小さい貫通孔で、その形状は植物苗５０の育成材部５１を挿通可能な形状であれば適宜であり、本例では平面視円形である。板部４０は、所定湿潤時における育成材３０の単位体積当りの重量よりも軽量なものであれば適宜の素材で形成することが可能であり、例えば発泡スチロール、発泡ポリプロピレン、発泡ウレタン等の発泡体、或いは樹脂で成形した中空の板状部材など適宜であるが、断熱性、施工性、加工性の向上等の観点からは発泡体とすると好適であり、また、発泡体を使用することにより育成材３０が断熱され、育成材３０の温度変化が少なくなり、植物の生育を良好にすることが可能となる。前記所定湿潤時とは、十分に育成材に水分が保持された状態を意味し、例えば底面に水抜き穴が穿設された容器内に対象物（育成材）を充填し、水抜き穴から余剰水が排出されるまで上から散水を行い、その後、余剰水の排水が無くなった状態を意味している。
【００２６】
板部４０の連通部４１には、植物苗５０の育成材部５１が挿入して填め込まれ、連通部４１に植物苗５０が植栽される。植物苗５０の植物の種類は適宜であるが、例えばヘデラ、スイカズラ、リュウノヒゲ、サツキツツジ、シバザクラ、コトネアスター、ラベンダー、フッキソウ、タイム、フイリヤブラン、セイヨウイワナンテン、フィリフェラオーレア、ササ、イワヒバなどの地被類とすると好適である。また、必要に応じて植物苗５０と連通部４１との間に育成材３０を補充充填して緑化体１０とされる。そして、図１（ｂ）に示すように、緑化体１０を、屋上等の人工地盤上の敷設面に隣接配置で縦横に連設するなど複数敷設することにより緑化設備が形成され、緑化設備による緑化エリアが屋上等に形成される。
【００２７】
第１実施形態の緑化体１０及び緑化設備は、軽量な板部４０を育成材３０上に載置し、板部４０の連通部４１に植栽することにより、軽量化を図ることができ、特に連通部４１以外の箇所では単に育成材を盛る場合に比べて軽量化することができる。また、連通部４１には、植物苗５０の育成材部５１、又は充填する育成材３０、又はこれらの双方を設けることにより、連通部４１の箇所で板部４０の高さ分、育成材厚を確保することが可能となる。これにより、例えば芝、或いはセダムなど育成材３０の厚さをそれほど必要としない植物以外にも対応することができる。また、板部４０の下側では、育成材３０が容器全体に繋がった状態で広がっているため、植物苗５０の根の伸長を妨げるものがなく、良好な植物の生育が可能となると共に、容器２０内において、水分の広がりを確実にし、例えば一の植物が水不足になり、他の植物が加湿となる状態を未然に防止することができる。
【００２８】
また、容器２０内の育成材３０の殆どの表面を板部４０で覆っているため、育成材３０内の水分の蒸発を抑制することが可能となり、水分の無駄遣いを未然に防止することができると共に、水不足による植物の枯れを極力減らすことが可能となる。更に、育成材３０の飛散を防止することが可能となり、育成材３０の飛散が近隣に迷惑になることを防止でき、且つ植物にとって適度な育成材厚を長期に維持することが可能となる。また、容器２０を用い、緑化体１０を容器２０を含めてユニット化しているため、施工、撤去等を容易に行うことができる。
【００２９】
〔第２実施形態の緑化体及び緑化設備〕
次に、第２実施形態の緑化体及び緑化設備について、第１実施形態と異なる箇所の詳細を説明する。第２実施形態の緑化体１０ａでは、図２（ａ）に示すように、側壁２１ａと底板２２ａを有する第１実施形態と同一構成の容器２０ａを縦横に４つ並べて隣接配置し、その各容器２０ａ内に育成材３０ａを充填している。そして、その上に隣接配置の容器２０ａの４つ分に相当する平面視面積及び形状の軽量な板部４０ａを載置すると共に、板部４０ａの上側の表面には耐候性を有する耐候性部材６０ａを載置している。
【００３０】
板部４０ａには、各容器２０ａの対角近傍に対応する位置に連通部４１ａが形成され、各容器２０ａに対して各２つの連通部４１ａ、即ち８つの連通部４１ａが形成されている。板部４０ａには、連通部４１ａ以外の箇所に上下に貫通する小孔の通水部４２ａが多数穿設されており、通水部４２ａは、板部４０ａの上側の水分を容器２０ａ内の育成材３０ａに導く機能を有する。また、板部４０ａの下側の裏面には、対向する辺を繋ぐようにして十字形の溝４３ａが形成されている。溝４３ａは、隣接配置の容器２０ａの側壁２１ａ・２１ａを跨ぐように外嵌めされ、容器２０ａを相互に連結して位置決めし、位置ずれを防止している。
【００３１】
耐候性部材６０ａには、板部４０ａの連通部４１ａと対応する平面視位置に連通部６１ａが形成されており、板部４０ａの通水部４２ａと対応する平面視位置に孔６２ａを穿設しており、確実に水分を容器２０ａ内に導けるようになっている。耐候性部材６０ａには、耐候性を有する部材であれば、ＰＶＣシート等のシート状、塗料状、布やポリプロピレン等の不織布等からなる繊維状、アクリル板等の固体状など適宜のものを使用可能であり、又、透水性を有する部材を用いると、前記通水部４２ａに対応する孔６２ａを設けずとも、確実に水分を容器２０ａ内に導くことが可能である。又、容易に穴を穿設可能な部材であれば、予め連通部６１ａを設けずに、施工現場で連通部６１ａを穿設する構成としてもよい。更に、連通部６１ａは穴に限定されず、例えば平面視十字形等の切れ目でもよい。耐候性部材６０ａの連通部６１ａは、板部４０ａの連通部４１ａに対応配置され、連通部６１ａ、４１ａに植物苗５０ａの育成材部５１ａが挿入して填め込まれ、更に育成材３０ａを連通部６１ａ、４１ａに充填することにより、緑化体１０ａが構成されている。更に、緑化体１０ａを敷設面に複数敷設することにより、図２（ｂ）に示す緑化設備が形成されている。尚、耐候性部材に塗料状のものを使用する場合は、例えば土、石や木目調等自然のものを思わせるように化粧を同時に施すと意匠性が富むためによく、また、繊維状などの場合は防草シートなどを使用するなど適宜であり、防草シートを用いる場合にはシート自体に強度があることから、板部４０ａ等の強度が増し、且つ板部４０ａ等上に雑草が生えることを防止することができる。
【００３２】
第２実施形態の緑化体１０ａ及び緑化設備は、屋外に敷設した際に降雨等を確実に容器２０ａ内の育成材３０ａに導くことが可能となり、雨水の有効利用が可能となり、水道費を節約できる。また、板部４０ａを平面視面積が大きなものとすることにより、施工を容易とすることが可能となると共に、コストダウンを図れる。また、板部４０ａの少なくとも表面を耐候性部材により被覆する等により耐候性処理を施すことで、板部４０ａに耐候性に優れない安価な材料を選定すること等が可能となり、コストダウンを図ることができると共に、長期に亘り安定して緑化体１０ａの性能を維持することができる。また、板部４０ａの裏面に容器２０ａの側壁２１ａ・２１ａ相互を連結する溝４３ａを形成することにより、容器２０ａ・２０ａ相互の位置決め、位置ずれを防止することが可能となる。また、第１実施形態と対応する構成により、同様の効果を奏する。
【００３３】
尚、第２実施形態では、４つの容器２０ａに対して１つの板部４０ａを設ける構成としたが、隣接して並置する２つの容器２０ａに対して１つの板部４０ａ、隣接して並置する３つの容器２０ａに対して１つの板部４０ａ、隣接して並置する５つ以上の容器２０ａに対して１つの板部４０ａを設ける構成としてもよい。
【００３４】
〔第３実施形態の緑化体及び緑化設備〕
次に、第３実施形態の緑化体及び緑化設備について、第１実施形態と異なる箇所の詳細を説明する。第３実施形態の緑化体１０ｂでは、図３に示すように、第１実施形態とは異なる構成の容器２０ｂ内に育成材３０ｂを充填し、その上に１つの容器２０ｂに対して板部４０ｂを構成する複数の軽量な板材４５ｂを載置している。そして、後述する板材４５ｂの連通部４１ｂに植物苗５０ｂの育成材部５１ｂを挿入して嵌め込み、更に連通部４１ｂ内に育成材３０ｂを補充充填することにより緑化体１０ｂが構成される。
【００３５】
容器２０ｂは、側壁２１ｂと底板２２ｂを有する上面開放の箱形であり、各側壁２１ｂには側壁連通部に相当する凹部２３ｂが２つずつ形成されている。一の容器２０ｂの凹部２３ｂは、一の容器２０ｂと別の容器２０ｂを隣接配置する際に、別の容器２０ｂの凹部２３ｂと対応配置されて連通し、育成材３０ｂ・３０ｂが充填されて隣り合う容器２０ｂ・２０ｂの育成材３０ｂ・３０ｂを繋げるようになっている。
【００３６】
隣接配置されて板部４０ｂを構成する複数の板材４５ｂは、平面視面積が容器２０ｂの約１／４である１／４板材４５１ｂと、平面視面積が容器２０ｂの約１／２である１／２板材４５２ｂとで構成され、これらの部材を組み合わせることにより、容器２０ｂで育成材３０ｂに載置される板部４０ｂが形成されている。板材４５ｂは、第１実施形態の板部４０と同様に、所定湿潤時における育成材３０の単位体積当りの重量よりも軽量なものであれば適宜の素材で形成することが可能である。また、板材４５ｂは、１つの円形の連通部４１ｂを有する部材、４つの円形の連通部４１ｂを有する部材、四角形の連通部４１ｂを有する部材、連通部４１ｂを有さない部材など様々な種類の部材から構成すると多様なデザインが可能になって好ましい。
【００３７】
第３実施形態の緑化体１０ｂによる緑化設備を施工する際には、容器２０ｂを敷設面に複数隣接して敷設し、敷設された複数の容器２０ｂ内に育成材３０ｂを充填し、育成材３０ｂ上に板材４５ｂを敷設することにより板部４０ｂを敷設し、板材４５ｂの連通部４１ｂに植物苗５０ｂの育成材部５１ｂを挿通し、更に連通部４１ｂと植物苗５０ｂとの間の空間に育成材３０ｂを充填することにより緑化設備が形成される。
【００３８】
第３実施形態の緑化体１０ｂ及び緑化設備では、容器２０ｂを使用しているにも関わらず、容器２０ｂ・２０ｂ間の水の行き来、植物の根の伸長が可能となり、より良好な植物の生育が可能となる。また、板部４０ｂを多様な板材４５ｂで構成することが可能となり、植物の種類、顧客の要望に応じて多様なデザインが可能となる。また、第１実施形態と対応する構成により、同様の効果を奏する。
【００３９】
〔第４実施形態の緑化体及び緑化設備〕
次に、第４実施形態の緑化体及び緑化設備について、第１実施形態と異なる箇所の詳細を説明する。第４実施形態の緑化体１０ｃは、容器２０ｃと貯水層（貯水トレー）７０ｃを有し（図４参照）、容器２０ｃ内に育成材３０ｃが充填され、その育成材３０ｃ上に軽量な板部４０ｃを載置され（図５参照）、板部４０ｃの連通部４１ｃに植物苗５０ｃの育成材部５１ｃが挿入され（図６参照）、植物苗５０ｃと連通部４１ｃとの間の空間に育成材３０ｃが充填され、これらの容器を貯水層（貯水トレー）７０ｃ上に載置することにより、緑化体１０ｃが構成される。更に、緑化体１０ｃを敷設面に複数敷設することにより、図８に示すように緑化設備である緑化エリアが形成される。
【００４０】
容器２０ｃは、図４（ａ）、（ｂ）に示すように、側壁２１ｃと底板２２ｃを有する上面開放の箱形であり、その底板２２ｃにはスリット状の排水孔２２１ｃが複数穿設されている。底板２２ｃの四隅、４辺の略中央部分、四隅より多少内側に入った部分に下方に突出する中空の凹部２２２ｃが形成され、凹部２２２ｃの底面に後述する貯水層の水分を吸水するための吸水孔２２３ｃが穿設され、導水部を構成している。底板２２ｃには、上方に向かって平面視Ｉ字形、或いは十字形の柱状部材２２４ｃが側壁２１ｃと略同一高さまで複数立設され、柱状部材２２４ｃの頂面及び容器２０ｃ内に充填された育成材３０ｃにより板部４０ｃを支持するようになっている。
【００４１】
また、底板２２ｃから下方に向かって複数の脚部２２５ｃが突設され、貯水層７０ｃの上限水位よりも容器２０ｃの底板２２ｃの下面が上方に位置するようになっており、容器２０ｃの底板２２ｃと貯水層７０ｃの水面との間に必ず空気層が形成されるようになっている。尚、脚部２２５ｃは、適宜箇所で突設させることが可能であるが、好適には柱状部材２２４ｃと平面視略同一位置に突設させるとよく、前記構成により、柱状部材２２４ｃにかかる荷重を直接敷設面或いは貯水層７０ｃに導くことができ、容器２０ｃの変形を防止することが可能となる。
【００４２】
側壁２１ｃには、上方から下方に向かって漸次平面面積が小さくなるように中央から下部にかけて内向きへこみ部２１１ｃが形成されており、後述する給水管８０ｃを配設するための空間を内向きへこみ部２１１ｃの下側に形成可能としている。側壁２１ｃの内の隣り合う２辺の上端には、外方に張り出す張出片２１２ｃが形成され、育成材３０ｃの側壁２１ｃ・２１ｃ間からの漏れを防止している。尚、図４の例では、底板２２ｃの四辺略中央には、長手方向に延びる挿通孔を有する筒状で上方突出して立設し、内部に開口２１４ｃが穿設された筒部２１３ｃを設けられているが、本実施形態では使用しない。
【００４３】
貯水層（貯水トレー）７０ｃは、図４（ｃ）、（ｄ）に示すように、側壁７１ｃと底板７２ｃを有する上面開放の箱形であり、底板７２ｃには複数の凹部７２１ｃと凸部７２２ｃとが形成されている。凹部７２１ｃの底面は敷設面に接しており、凸部７２２ｃの底面は敷設面から上方に離間する構成となっており、凸部７２２ｃの離間により、貯水層７０ｃと敷設面との間の湿気を極力減らすことができると共に、貯水層７０ｃの下面を水が流れることが可能となり、敷設面の劣化を防止することができる。また、凹部７２１ｃは容器２０ｃの脚部２２５ｃが存在する位置に存在し、脚部２２５ｃへの荷重を確実に敷設面へ逃がすことが可能である。
【００４４】
側壁７１ｃの上端には外方に略鉤型の連係部７１１ｃ、７１２ｃが形成されており、連係部７１１ｃ、７１２ｃにより隣り合う貯水層７０ｃ、７０ｃ相互が連係される。より詳細には、隣り合う２辺には幅広連係部７１１ｃが形成され、他の隣り合う２辺には幅広連係部７１１ｃよりも幅の狭い幅狭連係部７１２ｃが形成され、１つの貯水層７０ｃの幅狭連係部７１２ｃに他の貯水層７０ｃの幅広連係部７１１ｃを被せることにより連係が可能になっている。また、側壁７１ｃ近傍には、後述する給水管８０ｃを支持する給水管支持部７３ｃが１辺に２つ設けられている。貯水層（貯水トレー）７０ｃは、樹脂の真空成形で形成すると好適である。尚、図４の例では、底板７２ｃの四辺略中央で、容器２０ｃの筒部２１３ｃと平面視略同一位置に上方に突出した突出部７２３ｃが形成され、突出部７２３ｃの内部が開口７２４ｃで開口するように形成されているが、本実施形態では使用しない。
【００４５】
容器２０ｃ内に育成材３０ｃを充填する場合には、本実施形態では育成材３０ｃを側壁２１ｃ上端、或いは柱状部材２２４ｃの上端と略同一位置まで充填し、側壁２１ｃと柱状部材２２４ｃの上端が育成材３０ｃ上で見える状態とする。図５及び図６に示すように、この育成材３０ｃ上に４つの連通部４１ｃが形成された板部４０ｃを載置するが、板部４０ｃは張出片２１２ｃ側にずれた状態で載置される。植物苗５０ｃの育成材部５１ｃの連通部４１ｃへの挿入、連通部４１ｃ内への育成材３０ｃの充填は、第１実施形態等と同様である。
【００４６】
第４実施形態の緑化体４０ｃを敷設面に複数敷設して緑化設備を構成する場合、先ず貯水層（貯水トレー）７０ｃを幅広連係部７１１ｃ、幅狭連係部７１２ｃで連係しながら敷設面１００に複数敷設し、内向きへこみ部２１１ｃ・２１１ｃ相互間において、貯水層７０ｃの給水管支持部７３ｃに給水管８０ｃを配設する。その後、貯水層７０ｃ上に育成材３０ｃや板部４０ｃや植物苗５０ｃを設けた容器２０ｃを載置する、或いは容器２０ｃを貯水層７０ｃに載置した後に、容器２０ｃ内に育成材３０ｃを充填して板部４０ｃを載置し、植物苗５０ｃを設ける等により、緑化設備である緑化エリアが形成される。尚、本実施形態の給水管８０ｃには、両側の貯水層７０ｃ・７０ｃに給水可能な多孔質パイプを使用しており、貯水層７０ｃ内の水分が不足すると給水管８０ｃを介して貯水層７０ｃに給水され、貯水層７０ｃ内の水分を前記導水部内或いは凹部２２２ｃ内に設けられる育成材３０ｃの毛細管現象により吸水し、植物の根へと導かれるようになっている。
【００４７】
第４実施形態の緑化体１０ｃ及び緑化設備は、板部４０ｃをより確実に支持することが可能となり、育成材３０ｃの固化の防止や、粒状の育成材３０ｃを使用した場合は育成材３０ｃの潰れ等の防止を図ることが可能となり、植物の根へのダメージを防止することができる。また、貯水層７０ｃを有することにより、給水間隔を長くすることが可能となると共に、雨水等も貯めることが可能となり、水道費を節約することができる。また、貯水層７０ｃで連係されていることから、緑化体１０ｃの位置決めが確実で、位置ずれを防止することができる。また、張出片２１２ｃを有することから、育成材３０ｃの漏れを防止することができると共に、貯水層７０ｃ内への異物の侵入を防止することができる。
【００４８】
また、給水管８０ｃを支持する給水管支持部７３ｃを有することから、給水管８０ｃを確実な位置に設置することが可能となり、給水を確実に行うことが可能となる。また、給水時に両側の貯水層７０ｃ・７０ｃに給水することから、各列の貯水層８０ｃ毎に給水管８０ｃを配設する必要がなくなり、施工費等のコスト削減効果となると共に、水源の水圧により給水管８０ｃの長さが制限される場合にも、より広範囲な緑化設備に対して１つの水源で対応することが可能となる。また、容器２０ｃの側壁２１ｃに内向きへこみ部２１１ｃを有することにより、給水管８０ｃが緑化設備の外に出ることがなく、美観に優れた緑化エリアを形成できると共に、育成材３０ｃ中に埋設するなどの施工が不要となり、施工費等のコスト削減効果も発揮する。また、第１実施形態と対応する構成により、同様の効果を奏する。
【００４９】
〔第５実施形態の緑化体及び緑化設備〕
次に、第５実施形態の緑化体及び緑化設備について、第１実施形態と異なる箇所の詳細を説明する。第５実施形態の緑化体１０ｄは、図９に示すように、第４実施形態の容器２０ｃ、貯水層（貯水トレー）７０ｃと同一構成の容器２０ｄ、貯水層（貯水トレー）７０ｄを、本実施形態では略正方形となるように４つ並べて敷設面１００に隣接配置し、その容器２０ｄ内に育成材３０ｄを充填し、その上に容器２０ｄの約４つ分の平面視面積を有する軽量な板部４０ｄを載置し、更に、板部４０ｄの連通部４１ｄに植物苗５０ｄの育成材部５１ｄを挿入し、連通部４１ｄに育成材３０ｄを充填して形成されている。緑化体１０ｄの容器２０ｄは、第４実施形態と同一構成である、筒状に上方に突出して内部に開口２１４ｄが穿設された筒部２１３ｄと、第４実施形態と同一構成である、筒部２１３ｄと平面視略同一位置に上方に突出した突出部７２３ｄとを備える。尚、図９中で、２１１ｄは内向きへこみ部  ２１２ｄは張出片  ２２４ｄは柱状部材、８０ｄは給水管である。
【００５０】
板部４０ｄには、連通部４１ｄを有すると共に、載置状態における連通部４１ｄ以外の箇所で容器２０ｄの筒部２１３ｄに対応する位置に上下に貫通する貫通孔４４ｄが形成されている。連通部４１ｄ、貫通孔４４ｄは、１つの容器２０ｄに対して４つ穿設され、１つの板部４０ｄに対して１６個穿設されている。貫通孔４４ｄの任意箇所においては、固定部材であるアンカー９１ｄを筒部２１３ｄ、突出部７２３ｄから敷設面１００まで打ち付け、容器２０ｄ及び貯水層７０ｄを敷設面１００と固定する。アンカー９１ｄを打ち込む場合、アンカー９１ｄの頭は貫通孔４４ｄよりも小さく、筒部２１３ｄの開口２１４ｄよりも大きなものを使用しており、筒部２１３ｄの開口２１４ｄにアンカー９１ｄの頭が引っ掛かけて敷設面１００との強固な固定をすることが可能である。尚、貯水層７０ｄを有しない容器２０ｄのみの構成でも、同様にアンカー９１ｄで固定することが可能である。
【００５１】
また、貫通孔４４ｄの他の箇所においては、貫通孔４４ｄよりも大径のワッシャー９２ｄを介在させた状態でボルト９３ｄを筒部２１３ｄの挿通孔に挿入し、筒部２１３ｄの下面において筒部２１３ｄの開口２１４ｄよりも大径のナット９４ｄを設け、ボルト９３ｄにナット９４ｄを螺合することにより、板部４０ｄと容器２０ｄを一体化している。本例のワッシャー９２ｄ、ボルト９３ｄ、ナット９４ｄは固定部材に相当する。敷設面１００と容器２０ｄの固定或いは敷設面１００と容器２０ｄ、貯水層７０ｄの固定と、容器２０ｄと板部４０ｄの固定を任意箇所に適宜行うことにより、緑化体１０ｄや緑化設備の全体を敷設面１００に固定し、耐風圧性能を向上させることが可能となる。
【００５２】
第５実施形態の緑化体１０ｄ及び緑化設備では、緑化体１０ｄや緑化設備を強固に敷設面１００に固定することが可能であり、耐風圧性能を向上させることができる。また、緑化体１０ｄと板部４０ｄを一体化することが可能となり、一体化した板部４０ｄで育成材３０ｄの飛散を確実に防止することができると共に、緑化体１０ｄと板部４０ｄの一体的な取扱いで施工、撤去時など取扱いが容易となる。また、第１実施形態と対応する構成により、同様の効果を奏する。
【００５３】
〔第６実施形態の緑化設備〕
次に、第６実施形態の緑化設備について、第１実施形態と異なる箇所の詳細を説明する。第６実施形態の緑化設備は、容器を用いない緑化設備であり、図１０に示すように、敷設面１００に耐根層１１０ｅを敷設し、その上に凹凸状で、凸部１２１ｅの上面の略頂部近傍に排水孔１２２ｅが穿設され、凹部１２３ｅに水分１７０ｅを貯水して保水可能な排水兼保水層１２０ｅを敷設する。更に、排水兼保水層１２０ｅの上に育成材１４０ｅを支えるシート１３０ｅを敷設し、その上に育成材１４０ｅを敷設し、その育成材１４０ｅ上に連通部１５１ｅを有する板部１５０ｅを載置して設ける。そして、連通部１５１ｅに植物苗１６０ｅを植栽し、連通部１５１ｅに育成材１４０ｅを充填するものである。板部１５０ｅは、第１実施形態と同様に、所定湿潤時における育成材１４０ｅの単位体積当りの重量よりも軽量なものであれば適宜の素材で形成することが可能である。尚、容器を用いない緑化設備は本実施形態以外にも適宜である。
【００５４】
第６実施形態の緑化設備は、容器を用いないので、低コストで緑化設備である緑化エリアを形成することが可能となる。また、第１実施形態と対応する構成により、同様の効果を奏する。
【００５５】
〔実施形態の変形例等〕
本明細書開示の発明には、各発明や各実施形態やその変形例の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば各実施形態の適宜箇所の組み合わせや、各実施形態と下記様々な拡張或いは変形の組み合わせも含まれる。
【００５６】
例えば上記実施形態の容器２０、板部４０等の構成部材は平面視矩形としたが、その形状は平面視六角形等の多角形、平面視円形、平面視楕円形など適宜である。また、上記実施形態では、１種類の高さの板部４０、板材４５ｂ等について説明したが、板部、板材の高さは植物苗の大きさ、種類、地域などに応じて様々なものを選定して設けるなど適宜であり、高さの異なる板部、板材を載置した緑化体を同一敷設面に敷設してもよい。また、連通部４１、通水部４２ａ等は必ずしも貫通孔である必要はなく、板部４０、板材４５ｂ等の四隅や側辺近傍に内側に切り欠くように形成する凹部等とすることも可能である。また、連通部４１等の平面視形状は円形に限定されず、例えば平面視で四角、三角、菱形、楕円、多角形など適宜である。
【００５７】
また、上記実施形態の緑化体１０等と、板部４０等を載置せずに育成材３０等の上に芝生が植栽されている芝生マット等の植物マットを敷設した緑化体とを任意に組み合わせて設け、板部４０等を載置した緑化体１０等と載置しない緑化体とを同一敷設面に敷設して緑化設備を形成してもよい。また、第３実施形態の板部４０ｂの構成部材である板材４５ｂを育成材３０ｂの任意箇所について設けず、その箇所に植物マットを敷設する構成としてもよい。また、第３実施形態の板部４０ｂを構成する板材４５ｄの一部に他の容器２０ｄ・２０ｄの隣接する側壁２１ｄ・２１ｄに外嵌する溝を設け、前記板材４５ｄの一部を側壁２１ｄ・２１ｄに跨がるように設け、前記溝を側壁２１ｄ・２１ｄに外嵌して容器２０ｄ・２０ｄ相互を連結するようにしてもよい。
【００５８】
また、耐候性部材６０ａは、全ての実施形態に必要に応じて設けることが可能であり、例えば第５実施形態に使用した場合、板部４０ｄと容器２０ｄの固定と合わせて、耐候性部材にもボルト９３ｄを挿通して固定するなど適宜である。また、耐候性部材６０ａ等は、板部２０ａ等に接着して固定する、或いはその係合部を板部２０ａ側に形成される被係合部に係合して固定する構成等とすることが可能である。
【００５９】
また、アンカー９１ｄの頭の径、ワッシャー９２ｄ、ボルト９３ｄの頭の径と、貫通孔４４ｄの径との関係は、第５実施形態に限定されるものではなく、例えばアンカー９１ｄの頭を貫通孔４４ｄの径よりも大きく形成し、板部４０ｄを載置する前に容器２０ｄ等をアンカー９１ｄで敷設面に固定する。或いは、アンカー９１ｄにワッシャーを介在させ、板部４０ｄ、容器２０ｄ、貯水槽７０ｄを全て一括で布設面に固定する。また、ボルト９３ｄの頭の径が貫通孔４４ｄよりも大きい場合にはワッシャー９２ｄを設けなくてもよい。また、ナット９４ｄ側にワッシャー９２ｄを設ける構成、或いはアンカー９１ｄの頭の下にワッシャー９２ｄを設ける構成としてもよい。また、第５実施形態の容器２０ｄ等の敷設面への固定は、必ずしもアンカー９１ｄである必要はなく、例えば貯水層７０ｄを設ける構成或いは設けない構成において、敷設面に固定部材を接着固定し、この固定部材に筒部２１３ｄの上方からビス止めするなど適宜である。前記構成により、アンカー９１ｄを打ち込めない箇所でも容易に対応して固定することができる。
【００６０】
また、容器２０、貯水層７０ｃ等の形状、構成、機能などは上記実施形態に限定されるものではなく、例えば貯水層７０ｃの底板７２ｃに形成する凹部７２１ｃや凸部７２２ｃ、給水管支持部７３ｃ等の形状、構成は適宜であり、又、これらを設けない構成とすることも可能である。また、板部４０ｃを支持する柱状部材２２４ｃは、平面視十字状、平面視Ｉ字状の柱状部材２２４ｃに限定されず、例えば円柱形又は多角柱形の柱状部材２２４ｃ、円錐形又は多角錘形の柱状部材２２４ｃ、平面視Ｌ字状の柱状部材２２４ｃ、裁頭円錐形又は裁頭多角錐形の柱状部材２２４ｃなど適宜形状とすることが可能である。また、板部４０ｃ等を柱状部材２２４ｃで支持する構成に代え、側壁２１ｃに形成する内向きへこみ部２１１ｃの突出部分で板部４０ｃを支持する構成、或いは側壁２１ｃから内方に支持片を突出して形成し、前記支持片で板部４０ｃを支持する構成とするなど適宜である。
【００６１】
また、育成材３０等として粒状のものを使用しない場合、例えば繊維状のものや固化したものを使用する場合には、側壁２１を有しない容器２０、例えば底板だけからなるパレットを容器として用いてもよい。また、底板が無く、固化した育成材自体に脚部を設ける構成などでもよい。また、容器であるパレットを敷設面に複数敷設し、その後、粒状の育成材３０等をパレット上に敷設し、育成材３０等上に板部４０等を敷設する構成としてもよい。また、容器２０等に対応して板部４０等を設ける場合、必ずしも容器２０等の育成材３０等の全体を板部４０等で覆う必要は無く、育成材３０等の一部が露出していてもよい。この場合、露出した育成材３０等上に他の植物を植えるなど適宜である。前記構成では、例えば容器２０等を平面視四角形とし、板部４０等を平面視円形等とすることも可能である。
【００６２】
また、第１〜第５実施形態の緑化設備では、各容器２０等に板部４０等を設けて植物苗５０を挿入する緑化体１０等による緑化設備の例を示しているが、斯様な緑化体１０等だけを敷設するのではなく、他にウッドデッキ材、石材など様々な装飾と組み合わせて緑化設備を構成すれば、より顧客の要望にあった緑化設備を提供することが可能となる。また、上記実施形態の緑化設備の外周には適宜見切り材などを敷設し、板部４０等の側面が隠れるようにすると好適であり、前記構成により、美観を向上することができると共に、側面の劣化を防止することが可能となる。また、敷設面と緑化体１０ｄ等の固定構造は、必須条件ではなく、又、上記例以外の他の固定構造で固定してもよい。また、各実施形態の板部４０等、板材４５等には、上記所定湿潤時における育成材３０等の単位体積当りの重量よりも軽量なもの以外の素材のものを用いることも可能である。また、板部４０等は、必ずしも板状である必要はなく、例えば粒状等の軽量部材を育成材上に敷設し、粒状の軽量部材の表面のみを固化する構成、或いは繊維状の軽量部材を所定の厚みに形成して育成材上に載置する、布状の軽量部材を育成材上に複数積層して軽量部材とする、或いは軽量な板状以外の形状の構成部材を複数育成材上に載置して複数の構成部材により軽量部材を形成する等適宜である。
【産業上の利用可能性】
【００６３】
本発明は、建造物の屋上、屋根、ベランダ等に設置する緑化設備に利用することができる。
【符号の説明】
【００６４】
１０、１０ａ、１０ｂ、１０ｃ、１０ｄ…緑化体  ２０、２０ａ、２０ｂ、２０ｃ、２０ｄ…容器  ２１、２１ａ、２１ｂ、２１ｃ…側壁  ２２、２２ａ、２２ｂ、２２ｃ…底板  ２３ｂ…凹部  ２１１ｃ、２１１ｄ…内向きへこみ部  ２１２ｃ、２１２ｄ…張出片  ２１３ｃ、２１３ｄ…筒部  ２１４ｃ、２１４ｄ…開口  ２２１ｃ…排水孔  ２２２ｃ…凹部  ２２３ｃ…吸水孔  ２２４ｃ、２２４ｄ…柱状部材  ２２５ｃ…脚部  ３０、３０ａ、３０ｂ、３０ｃ、３０ｄ、１４０ｅ…育成材  ４０、４０ａ、４０ｂ、４０ｃ、４０ｄ、１５０ｅ…板部  ４１、４１ａ、４１ｂ、４１ｃ、４１ｄ、１５１ｅ…連通部  ４２ａ…通水部  ４３ａ…溝  ４５ｂ…板材  ４５１ｂ…１／４板材  ４５２ｂ…１／２板材  ４４ｄ…貫通孔  ５０、５０ａ、５０ｂ、５０ｃ、５０ｄ、１６０ｅ…植物苗  ５１、５１ａ、５１ｂ、５１ｃ、５１ｄ…育成材部  ６０ａ…耐候性部材  ６１ａ…連通部  ６２ａ…孔  ７０ｃ、７０ｄ…貯水層（貯水トレー）  ７１ｃ…側壁  ７１１ｃ…幅広連係部  ７１２ｃ…幅狭連係部  ７２ｃ…底板  ７２１ｃ…凹部  ７２２ｃ…凸部  ７２３ｃ、７２３ｄ…突出部  ７２４ｃ…開口  ７３ｃ…給水管支持部  ８０ｃ、８０ｄ…給水管  ９１ｄ…アンカー  ９２ｄ…ワッシャー  ９３ｄ…ボルト  ９４ｄ…ナット  １００…敷設面  １１０ｅ…耐根層  １２０ｅ…排水兼保水層  １２１ｅ…凸部  １２２ｅ…排水孔  １２３ｅ…凹部  １３０ｅ…シート  １７０ｅ…水分
【図１】
2010187601.tif 000003
【図２】
2010187601.tif 000004
【図３】
2010187601.tif 000005
【図４】
2010187601.tif 000006
【図５】
2010187601.tif 000007
【図６】
2010187601.tif 000008
【図７】
2010187601.tif 000009
【図８】
2010187601.tif 000010
【図９】
2010187601.tif 000011
【図１０】
2010187601.tif 000012